(57)【特許請求の範囲】
【請求項１】
アンテナであって、
前記アンテナが携帯端末に適用され、前記携帯端末は第一金属フレームと第二金属フレームを含み、前記第一金属フレームの第一端部と前記第二金属フレームの第一端部との間に隙間が存在し、前記第一金属フレームの長さが所定周波数帯域波長の４分の１以下であり、且つ前記第一金属フレームの長さが前記第二金属フレームの長さよりも大きく、
前記第一金属フレーム上に給電点を含み、前記給電点が前記第一金属フレームの第一端部の所定位置にあり、前記給電点が第一コンデンサー素子の第一端部に結合され、前記第一コンデンサー素子の第二端部が切替スイッチの第一端部に結合され、前記切替スイッチの第二端部が第二コンデンサー素子の第一端部又はインダクタ素子の第一端部に結合され、前記第二コンデンサー素子の第二端部又は前記インダクタ素子の第二端部が第一接地点に結合され、且つ前記第一金属フレームの第二端部が第二接地点に結合され、第一アンテナを形成し、
前記第二金属フレームの第二端部が第三接地点に結合され、第二アンテナを形成する、アンテナ。
【請求項２】
前記切替スイッチが前記第一金属フレームの中心点位置に位置する
請求項１に記載のアンテナ。
【請求項３】
前記切替スイッチは前記第二コンデンサー素子に結合されるように切り替えられた場合、前記第一アンテナと前記第二アンテナは中低周波信号と低周波ミリ波周波数帯域の信号を放射するように配置され、又は、
前記切替スイッチは前記インダクタ素子に結合されるように切り替えられた場合、前記第一アンテナと前記第二アンテナは高周波信号と前記低周波ミリ波周波数帯域の信号を放射するように配置される
請求項１に記載のアンテナ。
【請求項４】
前記切替スイッチは前記第二コンデンサー素子に結合されるように切り替えられた場合、前記第二コンデンサー素子の所在する位置から前記隙間までの間の前記第一アンテナにおける部分は前記第二アンテナとともに中間周波信号を放射するように配置され、前記第一アンテナの４分の１の波長モードで共振は低周波信号を放射するように配置され、前記第一アンテナの４分の３の波長モードでの共振は前記低周波ミリ波周波数帯域の信号を放射するように配置され、又は、
前記切替スイッチは前記インダクタ素子に結合されるように切り替えられた場合、前記インダクタ素子の所在する位置から前記隙間までの間の前記第一アンテナにおける部分は前記第二アンテナとともに高周波信号を放射するように配置され、前記第一アンテナの４分の３の波長モードでの共振は前記低周波ミリ波周波数帯域の信号を放射するように配置される
請求項３に記載のアンテナ。
【請求項５】
前記第一金属フレームの長さと３０ミリメートルとの間の差が所定数値以下であり、前記第二金属フレームの長さの値が１６ミリメートル〜２０ミリメートルにある
請求項１〜４のいずれか１項に記載のアンテナ。
【請求項６】
前記第一コンデンサー素子の値が０．５ｐＦ〜２．５ｐＦにある
請求項１〜４のいずれか１項に記載のアンテナ。
【請求項７】
前記第一金属フレームと前記第二金属フレームはいずれも前記携帯端末の底部フレームである
請求項１〜４のいずれか１項に記載のアンテナ。
【請求項８】
前記第一金属フレームの第一端部と前記第二金属フレームの第一端部との間の隙間幅は２ミリメートルである
請求項１〜４のいずれか１項に記載のアンテナ。
【請求項９】
前記第一コンデンサー素子の第二端部は前記第一金属フレームによって前記切替スイッチの第一端部に結合される
請求項１〜４のいずれか１項に記載のアンテナ。
【請求項１０】
携帯端末であって、
前記携帯端末は上記請求項１〜９のいずれか１項に記載のアンテナを含む、携帯端末。
【発明の詳細な説明】
【関連出願と相互参照】
【０００１】
本出願は、出願番号が２０１８１０８４１０２４．８で、出願日が２０１８年０７月２７日である中国特許出願に基づいて提出され、且つ該中国特許出願の優先権を主張し、該中国特許出願のすべての内容がここに参照として本出願に組み込まれる。
【技術分野】
【０００２】
本発明の実施例は携帯端末の技術分野に関し、特にアンテナ及び携帯端末に関する。
【背景技術】
【０００３】
５Ｇ時代の到来に従って、信号伝送に用いることができる周波数帯域がますます多くなり、携帯端末におけるアンテナの放射に対するニーズも継続的に拡大され、例えば、現在の従来周波数帯域の信号を放射することができるうえで、更に５Ｇにおける低周波ミリメートル波周波数帯域の信号を放射することができるようにアンテナに要求し、該低周波ミリ波周波数帯域はＳｕｂ−６ＧＨｚ周波数帯域と通称される。しかし、携帯端末技術の迅速な発展に従って、携帯端末の画面比率が徐々に増加し、且つ内部には金属構造の素子も継続的に増加し、このように、携帯端末の本体内部においてアンテナを設計するためのクリアランスエリアがますます小さくなることを引き起こす。このため、現在、様々な周波数帯域信号の放射を実現するように小さいクリアランスエリアでアンテナを設計することは急務である。
【発明の概要】
【発明が解決しようとする課題】
【０００４】
本発明の実施例は、様々な周波数帯域信号の放射を実現することができるように、アンテナ及び携帯端末を提供する。
【課題を解決するための手段】
【０００５】
本発明の実施例の第一態様によれば、アンテナを提供し、前記アンテナは携帯端末に適用され、前記携帯端末は第一金属フレームと第二金属フレームを含み、前記第一金属フレームの第一端部と前記第二金属フレームの第一端部との間に隙間が存在し、前記第一金属フレームの長さが所定周波数帯域波長の４分の１の範囲内にあり、且つ前記第一金属フレームの長さが前記第二金属フレームの長さよりも大きく、
前記第一金属フレームに給電点を含み、前記給電点が前記第一金属フレームの第一端部の所定位置にあり、前記給電点が第一コンデンサー素子の第一端部に結合され、前記第一コンデンサー素子の第二端部が切替スイッチの第一端部に結合され、前記切替スイッチの第二端部が第二コンデンサー素子の第一端部又はインダクタ素子の第一端部に結合され、前記第二コンデンサー素子の第二端部又は前記インダクタ素子の第二端部が第一接地点に結合され、且つ前記第一金属フレームの第二端部が第二接地点に結合され、第一アンテナを形成し、
前記第二金属フレームの第二端部が第三接地点に結合され、第二アンテナを形成する。
【０００６】
選択的に、前記切替スイッチが前記第一金属フレームの中心点位置に位置する。
【０００７】
選択的に、前記切替スイッチは前記第二コンデンサー素子に結合されるように切り替えられた場合、前記第一アンテナと前記第二アンテナは中低周波信号と低周波ミリ波周波数帯域の信号を放射するように配置され、又は、
前記切替スイッチは前記インダクタ素子に結合されるように切り替えられた場合、前記第一アンテナと前記第二アンテナは高周波信号と前記低周波ミリ波周波数帯域の信号を放射するように配置される。
【０００８】
選択的に、前記切替スイッチは前記第二コンデンサー素子に結合されるように切り替えられた場合、前記第二コンデンサー素子の所在する位置から前記隙間までの間の前記第一アンテナにおける部分は前記第二アンテナとともに中間周波信号を放射するように配置され、前記第一アンテナの４分の１の波長モードでの共振が低周波信号を放射するように配置され、前記第一アンテナの４分の３の波長モードでの共振が前記低周波ミリ波周波数帯域の信号を放射するように配置され、又は、
前記切替スイッチは前記インダクタ素子に結合されるように切り替えられた場合、前記インダクタ素子の所在する位置から前記隙間までの間の前記第一アンテナにおける部分は前記第二アンテナとともに高周波信号を放射するように配置され、前記第一アンテナの４分の３の波長モードでの共振が前記低周波ミリ波周波数帯域の信号を放射するように配置される。
【０００９】
選択的に、前記第一金属フレームの長さと３０ミリメートルとの間の差が所定範囲内にあり、前記第二金属フレームの長さの値が１６ミリメートル〜２０ミリメートルにある。
【００１０】
選択的に、前記第一コンデンサー素子の値が０．５ｐＦ〜２．５ｐＦにある。
【００１１】
選択的に、前記第一金属フレームと前記第二金属フレームはいずれも前記携帯端末の底部フレームである。
【００１２】
選択的に、前記第一金属フレームの第一端部と前記第二金属フレームの第一端部との間の隙間幅は２ミリメートルである。
【００１３】
選択的に、前記第一コンデンサー素子の第二端部は前記第一金属フレームによって前記切替スイッチの第一端部に結合される。
【００１４】
本発明の実施例の第二態様によれば、上記第一態様に記載のアンテナを含む携帯端末を提供する。
【発明の効果】
【００１５】
本発明の実施例が提供した技術案は以下の有益な効果を含むことができる。
【００１６】
本発明の実施例は、携帯端末に適用されるアンテナを提供する。該アンテナは主に携帯端末の第一金属フレームと第二金属フレームによって実現され、該第一金属フレームと該第二金属フレームとの間に隙間が存在する。該第一金属フレームにおける隙間に近い一端の所定位置に給電点を含み、該給電点が第一コンデンサー素子に結合され、該第一コンデンサー素子が切替スイッチに結合され、該切替スイッチが第二コンデンサー素子又はインダクタ素子に結合され、該第二コンデンサー素子又はインダクタ素子が第一接地点に結合され、該第一金属フレームが第二接地点に結合され、アンテナの一部を形成する。また、該第二金属フレームが第三接地点に結合され、アンテナの他の部分を形成する。第一金属フレームの長さが所定周波数帯域波長の４分の１の範囲内にあるので、切替スイッチが第二コンデンサー素子とインダクタ素子の間の切り替えを行う場合、該２つの部分のアンテナは従来の周波数帯域信号の放射を実現することができるだけでなく、該第一金属フレームの高次モードでの共振を利用して低周波ミリ波周波数帯域の信号放射を実現することができ、即ちＳｕｂ  ６ＧＨｚ周波数帯域の信号も放射することができ、本発明の実施例において、余分の他の素子及びアンテナブランチを増設しない前提で、該アンテナは様々な異なる周波数帯域信号の放射を実現した。
【００１７】
上記の一般的な説明及び後述の詳細な説明は単に例示的、説明するためのものであり、本発明の実施例を限定するためのものではないことを理解すべきである。
【図面の簡単な説明】
【００１８】
【図１】一例示的な実施例に従って示されたアンテナの概略構成図である。
【図２】一例示的な実施例に従って示されたアンテナの正面の実体構造の概略図である。
【図３】一例示的な実施例に従って示されたアンテナの背面の実体構造の概略図である。
【図４】一例示的な実施例に従って示されたＳｍｉｔｈ概略図である。
【図５】一例示的な実施例に従って示された等価回路図である。
【図６】一例示的な実施例に従って示された信号のリターンロスの概略図である。
【図７】一例示的な実施例に従って示されたもう一つの等価回路図である。
【図８】一例示的な実施例に従って示されたもう一つの信号のリターンロスの概略図である。
【発明を実施するための形態】
【００１９】
ここに示された図面は、明細書に組み込まれて本明細書の一部を構成し、本発明の実施例が示されており、且つ明細書とともに本発明の実施例の原理を解釈するためのものである。
【００２０】
ここで例示的な実施例を詳細に説明し、その具体例が図面に示される。以下の説明において図面に係る場合、特に明記しない限り、異なる図面における同一の符号は同一または類似の要素を示す。以下の例示的な実施例に説明された実施形態は本発明の実施形態と一致するすべての実施形態を表すとは限らない。逆に、これらは単に本発明の実施例の幾つかの態様と一致する装置及び方法の例だけである。
【００２１】
本発明の実施例が提供したアンテナ構造及び信号放射原理を詳細に説明する前に、まず、本発明の実施例に係る適用シーンを簡単に紹介する。
【００２２】
現在、４Ｇ時代の時分割複信ロングタームエボリューション（ＴＤＤ−ＬＴＥ：Ｔｉｍｅ  Ｄｉｖｉｓｉｏｎ  Ｌｏｎｇ  Ｔｅｒｍ  Ｅｖｏｌｕｔｉｏｎ）及び周波数分割複信ロングタームエボリューション（ＦＤＤ−ＬＴＥ：Ｆｒｅｑｕｅｎｃｙ  Ｄｉｖｉｓｉｏｎ  Ｄｕｐｌｅｘ  Ｌｏｎｇ  Ｔｅｒｍ  Ｅｖｏｌｕｔｉｏｎ）と同様に、現在段階の５Ｇ技術にも２つの発展方向があり、それぞれはＳｕｂ−６ＧＨｚ及び６ＧＨｚ以上のミリメートル波の周波数帯である。該２つの方向において、Ｓｕｂ−６ＧＨｚを達成する難易度は比較的容易で、通信事業者の現行のインフラストラクチャを引き続き使用することができ、且つ周波数帯域の分割も比較的明確であり、このため、今後数年間で、Ｓｕｂ−６ＧＨｚ周波数帯域は通信事業者が５Ｇ計画をアップグレードするための重要な過渡的技術になり、該Ｓｕｂ−６ＧＨｚ周波数帯域はｎ７７、ｎ７８及びｎ７９という幾つかの周波数帯域を含むことが可能であり、例えば、国内で公表されたように、ｎ７７周波数帯域における３．３ＧＨｚ〜３．６ＧＨｚ、及びｎ７９周波数帯域における４．８ＧＨｚ〜５ＧＨｚを使用しようとすることである。それによって、携帯端末におけるアンテナの放射に対するニーズも増加する可能性があり、即ちアンテナは、例えば２Ｇ、３Ｇ及び４Ｇ等を含む従来の周波数帯域の信号を放射することができるだけでなく、更に上記Ｓｕｂ−６ＧＨｚ周波数帯域の信号を放射することができる必要があることを要求する。しかしながら、全画面表示及び金属材質の普及及び進化に伴い、携帯端末におけるアンテナのために残されたクリアランスエリアはますます小さくなり、このように、従来の周波数帯域信号を放射するうえでＳｕｂ−６ＧＨｚ周波数帯域信号の放射を増加させることは非常に困難である。
【００２３】
このため、本発明の実施例はアンテナを提供し、該アンテナは例えばスイッチような素子及びアンテナブランチを更に増設しない前提で、従来の周波数帯域及びＳｕｂ−６ＧＨｚ周波数帯域信号の放射を実現することができ、これにより、ますます難しくなるアンテナ設計と周波数帯域のニーズ増加との矛盾を解決した。
【００２４】
次に、図面を組み合わせて本発明の実施例が提供したアンテナを詳細に紹介する。図１に示すように、該図１は一例示的な実施例に従って示されたアンテナの概略構成図であり、該アンテナは携帯端末に適用され、該携帯端末は第一金属フレーム１と第二金属フレーム２を主に含み、該第一金属フレーム１の第一端部と該第二金属フレーム２の第一端部との間に隙間が存在し、該第一金属フレーム１の長さが所定周波数帯域波長の４分の１の範囲内にあり、且つ該第一金属フレーム１の長さが該第二金属フレーム２の長さよりも大きい。
【００２５】
該第一金属フレーム１上には給電点３を含み、該給電点３が該第一金属フレーム１の第一端部の所定位置にあり、該給電点３が第一コンデンサー素子４の第一端部に結合され、該第一コンデンサー素子４の第二端部が切替スイッチ５の第一端部に結合され、該切替スイッチ５の第二端部が第二コンデンサー素子６の第一端部又はインダクタ素子７の第一端部に結合され、該第二コンデンサー素子６の第二端部又は該インダクタ素子７の第二端部が第一接地点に結合され、且つ該第一金属フレーム１の第二端部が第二接地点に結合され、第一アンテナを形成する。該第二金属フレームの第二端部が第三接地点に結合され、第二アンテナを形成する。
【００２６】
図２と図３を参照して、該図２と図３はそれぞれ該アンテナが携帯端末の正面の実体構造の概略図及び背面の実体構造の概略図である。即ち、ここで既存の携帯端末の第一金属フレーム１及び第二金属フレーム２を利用して該アンテナを設計し、このように、余分のその他の素子又はアンテナブランチを増設する必要とせず、アンテナの占有スペースを節約し、即ち狭いクリアランスエリアで、該第一金属フレーム１と該第二金属フレーム２を利用して、アンテナを設計することができ、且つ該アンテナを利用して様々な周波数帯域信号の放射を実現する。
【００２７】
幾つかの実施例において、該第一金属フレーム１と該第二金属フレーム２がいずれも該携帯端末の底部フレームであってよい。勿論、幾つかの他の実施例において、該第一金属フレーム１と該第二金属フレーム２がいずれも該携帯端末の上部フレームであってもよいし、又は、更に該第一金属フレーム１と該第二金属フレーム２のうちのいずれか一つは携帯端末の上部フレームであり、他方は携帯端末の底部フレームであってよく、本発明の実施例はこれを限定しない。
【００２８】
上記所定位置はユーザによって実際のニーズに応じてカスタマイズされることができ、即ち、本発明の実施例において、該第一金属フレーム１における隙間に近い縁部に給電点３が設置され、且つ該給電点３が第一コンデンサー素子４の第一端部に結合される。また、異なる周波数帯域信号の放射を実現するために、該第一コンデンサー素子４の第二端部が切替スイッチ５の第一端部に結合され、切替スイッチ５の第二端部が第二コンデンサー素子６の第一端部又はインダクタ素子７の第一端部に結合され、該切替スイッチ５が該第二コンデンサー素子６とインダクタ素子７間で切り替えを行う時に、異なる周波数帯域信号の放射を容易に実現することができる。
【００２９】
更に、第一金属フレーム１が放射した磁場には電界ゼロポイントが存在するので、切替スイッチ５の作動に影響を与えないように、一般的に該切替スイッチ５を該第一金属フレーム１における低次モードと高次モードの非電界ゼロポイントの位置に位置させてもよい。例えば、幾つかの実施例において、該切替スイッチ５は該第一金属フレーム１の中心点位置に位置してよい。
【００３０】
１つの可能な実現形態において、該第一コンデンサー素子４の第二端部は第一金属フレーム１によって切替スイッチ５の第一端部に結合される。
【００３１】
例えば、該第一コンデンサー素子４の第二端部が第一金属フレーム１に結合され、且つ該切替スイッチ５の第一端部が該第一金属フレーム１に結合される。該第一金属フレーム１が導電性を有するので、該第一コンデンサー素子４の第二端部は第一金属フレーム１によって切替スイッチ５の第一端部との結合を実現する。
【００３２】
幾つかの実施例において、該第一コンデンサー素子４の第二端部と第一金属フレーム１とが弾性薄板によって結合を実現し、且つ該切替スイッチ５の第一端部と該第一金属フレーム１とが弾性薄板によって結合を実現する。
【００３３】
更に、該第一コンデンサー素子４の第二端部と第一金属フレーム１とが１つ又は複数の弾性薄板によって結合を実現することができ、且つ該切替スイッチ５の第一端部と該第一金属フレーム１との間も１つ又は複数の弾性薄板によって結合を実現することができる。
【００３４】
幾つかの実施例において、該アンテナがＳｕｂ−６ＧＨｚにおけるｎ７７周波数帯域を放射することができることを例として説明し、この際、上記所定周波数帯域は１．１ＧＨｚ〜１．２ＧＨｚであってよい。即ち該第一金属フレーム１の長さを１．１−１．２ＧＨｚ周波数範囲付近４分の１の波長モードに満たさせ、該波長が上記所定周波数帯域波長である。
【００３５】
１つの可能な実現形態において、該第一金属フレーム１の長さと３０ミリメートルとの間の差が所定範囲内にあり、該第二金属フレーム２の長さの値が１６ミリメートル〜２０ミリメートルにある。即ち、該第二金属フレーム２の長さが一般的に２．３ＧＨｚ−２．７ＧＨｚの高周波部分の低次モードの共振の長さを満たすように要求される。
【００３６】
上記所定範囲はユーザによって実際のニーズに応じてカスタマイズされることができ、即ち、該第一金属フレーム１の長さが約３０ミリメートル程度に設定されることができる。
【００３７】
更に、上記第一コンデンサー素子４の値が０．５ｐＦ〜２．５ｐＦにある。１つの選択可能な実現形態において、アンテナの放射精度を向上させるために、該第一コンデンサー素子４を調整可能なコンデンサーとして選択することができ、これにより実現過程において、該調整可能なコンデンサーの容量値を調整することによって、必要な容量値の大きさを設定する。例えば、第二コンデンサー素子６に結合するように切り替えられることに比べて、切替スイッチ５がインダクタ素子７に結合されるように切り替えられた場合、該第一コンデンサー素子４の電気容量値を少し大きめに調整することができる。
【００３８】
本発明の実施例において、給電点３の位置を第一金属フレーム１の縁部に近くするように調整し、該第一金属フレーム１の長さが１．１ＧＨｚ−１．２ＧＨｚの周波数範囲付近の４分の１の波長モードを満たし、この際、図４に示すように、該図４におけるｓｍｉｔｈ図から分かるように、該１．１ＧＨｚ−１．２ＧＨｚ周波数範囲の対応するｍａｒｋ１点がｓｍｉｔｈのゼロ軸に位置し、ｓｍｉｔｈ図におけるｍａｒｋ２点の位置に示すように、対応する０．９ＧＨｚの周波数ポイントがインダクタンス領域の５０オーム等のインピーダンス円付近にある。この際、三倍の関係での計算から分かるように、該第一金属フレーム１の４分の３の波長モードでの共振周波数が約３．３ＧＨｚ−３．６ＧＨｚ範囲付近にあり、ｓｍｉｔｈ図におけるｍａｒｋ３〜ｍａｒｋ４という部分の範囲に示すように、この部分は同様に５０オーム等インピーダンス円で交差点がある。このため、給電点３に容量値の小さい第一コンデンサー素子を直列接続する時、同時に２Ｇ、３Ｇ及び４Ｇ周波数帯域の低周波部分及びＳｕｂ−６ＧＨｚ部分をともに矢印方向に沿って５０オーム付近に引くことができ、この２つの共振モードを同時にアクティブする。これにより、該第一金属フレーム１の対応する異なる波長モードでの共振を利用して様々な周波数帯域信号の放射を実現することができる。
【００３９】
更に、隙間の幅がアンテナに一定の影響を及ばすので、幾つかの実施例において、良好な信号放射を実現するように、上記第一金属フレーム１の第一端部と該第二金属フレーム２の第二端部間の隙間幅を２ミリメートルに設定することができる。
【００４０】
なお、上記第一接地点、第二接地点及び第三接地点は互いに同じであっても異なっていてもよく、本発明の実施例はこれを限定しない。
【００４１】
次に、該アンテナの様々な周波数帯域信号の放射原理を紹介する。上記のように、切替スイッチ５が第二コンデンサー素子６とインダクタ素子７間で切り替えを行う場合、異なる周波数帯域信号の放射を実現することができ、具体的には以下のように実現する。
【００４２】
該切替スイッチ５は該第二コンデンサー素子６に結合されるように切り替えられる時、該第一アンテナと該第二アンテナは中低周波信号と低周波ミリ波周波数帯域の信号を放射するように配置される。該切替スイッチ５は該インダクタ素子７に結合されるように切り替えられる時、該第一アンテナと該第二アンテナは高周波信号と該低周波ミリ波周波数帯域の信号を放射するように配置される。
【００４３】
更に、該切替スイッチ５は該第二コンデンサー素子６に結合されるように切り替えられる時、該第二コンデンサー素子６の所在する位置から該隙間までの間の該第一アンテナにおける部分は該第二アンテナとともに中間周波信号を放射するように配置され、該第一アンテナの４分の１の波長モードでの共振は低周波信号を放射するように配置され、該第一アンテナの４分の３の波長モードでの共振は該低周波ミリ波周波数帯域の信号を放射するように配置される。又は、該切替スイッチ５は該インダクタ素子７に結合されるように切り替えられる時、該インダクタ素子７の所在する位置から該隙間までの間の該第一アンテナにおける部分は該第二アンテナとともに高周波信号を放射するように配置され、該第一アンテナの４分の３の波長モードでの共振は該低周波ミリ波周波数帯域の信号を放射するように配置される。
【００４４】
該切替スイッチ５は該第二コンデンサー素子６に結合されるように切り替えられる時、図５を参照して、該図５は一例示的な実施例に従って示された等価回路図であり、この際、該第一アンテナの４分の１の波長モードでの共振は低周波信号を放射するように配置され、該第一アンテナの４分の３の波長モードでの共振はＳｕｂ−６ＧＨｚ周波数帯域の信号を放射するように配置される。図６を参照して、該図６は放射された信号のリターンロスの概略図であり、該図６から分かるように、この時の第一アンテナと第二アンテナは中低周波信号及びＳｕｂ−６ＧＨｚ周波数帯域信号の放射を実現した。
【００４５】
該切替スイッチ５は該インダクタ素子７に結合されるように切り替えられる時、図７を参照して、該図７は一例示的な実施例に従って示されたもう一つの等価回路図であり、この際、該第一アンテナの４分の３の波長モードでの共振はＳｕｂ−６ＧＨｚ周波数帯域の信号を放射するように配置される。図８を参照して、該図８は放射された信号のリターンロスの概略図であり、該図８から分かるように、この時の第一アンテナと第二アンテナは高周波信号及びＳｕｂ−６ＧＨｚ周波数帯域信号の放射を実現した。
【００４６】
なお、本発明の実施例は切替スイッチ５、第二コンデンサー素子６及びインダクタ素子７の数及びチャンネルステータスの数を限定せず、即ち、Ｓｕｂ−６ＧＨｚ周波数帯域は複数の周波数帯域を含み、例えば、ｎ７７、ｎ７８及びｎ７９のような幾つかの周波数帯域を含むので、幾つかの実施例において、上記ｎ７７、ｎ７８及びｎ７９のような幾つかの異なる周波数帯域の信号の放射を実現することができるように、複数の切替スイッチ５、複数の第二コンデンサー素子６又は複数のインダクタ素子７を設置することができる。例えば、ｎ７７周波数帯域信号を放射する時、該第二コンデンサー素子６の容量値が２．７ｐＦであり、該インダクタ素子７のインダクタンス値が８ｎである。
【００４７】
本発明の実施例において、携帯端末に適用されるアンテナを提供する。該アンテナは主に携帯端末の第一金属フレームと第二金属フレームによって実現され、該第一金属フレームと該第二金属フレームとの間に隙間が存在する。該第一金属フレームにおける隙間に近い一端の所定位置に給電点を含み、該給電点が第一コンデンサー素子に結合され、該第一コンデンサー素子が切替スイッチに結合され、該切替スイッチが第二コンデンサー素子又はインダクタ素子に結合され、該第二コンデンサー素子又はインダクタ素子が第一接地点に結合され、該第一金属フレームが第二接地点に結合され、アンテナの一部を形成する。また、該第二金属フレームが第三接地点に結合され、アンテナの他の部分を形成する。第一金属フレームの長さが所定周波数帯域波長の４分の１の範囲内にあるので、切替スイッチが第二コンデンサー素子とインダクタ素子の間の切り替えを行う場合、該２つの部分のアンテナは従来の周波数帯域信号の放射を実現することができるだけでなく、該第一金属フレームの高次モードでの共振を利用して低周波ミリ波周波数帯域の信号放射を実現することができ、即ちＳｕｂ  ６ＧＨｚ周波数帯域の信号をも放射することができ、本発明の実施例において、余分の他の素子及びアンテナブランチを増設しない前提で、該アンテナは様々な異なる周波数帯域信号の放射を実現した。
【００４８】
当業者は明細書を閲覧し、本明細書に開示された発明を実施した後、本発明の実施例のその他の実施案を想到し得る。本出願は本発明の実施例の任意の変形、用途又は適応的な変化をカバーするためのものであり、これらの変形、用途又は適応的な変化は本発明の一般的な原理に従うとともに、本発明の実施例に開示されない本技術分野における技術常識又は慣用の技術手段を含む。明細書と実施例は単に例示的なものだけと見なされる。
【００４９】
本発明の実施例が以上に既に説明されて図面に示された正確な構造に限定されず、且つその範囲から逸脱しないように様々な修正及び改変を行うことができることを理解すべきである。
【産業上の利用可能性】
【００５０】
本発明の実施例が提供した技術案は以下の有益な効果を含むことができる。
【００５１】
本発明の実施例は携帯端末に適用されるアンテナを提供する。該アンテナは主に携帯端末の第一金属フレームと第二金属フレームで実現され、該第一金属フレームが第二接地点に結合され、アンテナの一部を形成する。また、該第二金属フレームが第三接地点に結合され、アンテナの他の部分を形成する。第一金属フレームの長さが所定周波数帯域波長の４分の１の範囲内にあるので、切替スイッチが第二コンデンサー素子とインダクタ素子の間の切り替えを行う場合、該２つの部分のアンテナは従来の周波数帯域信号の放射を実現することができるだけでなく、該第一金属フレームの高次モードでの共振を利用して低周波ミリ波周波数帯域の信号放射を実現することができ、即ちＳｕｂ  ６ＧＨｚ周波数帯域の信号をも放射することができ、本発明の実施例において、余分の他の素子及びアンテナブランチを増設しない前提で、該アンテナは様々な異なる周波数帯域信号の放射を実現した。
【符号の説明】
【００５２】
１：第一金属フレーム、２：第二金属フレーム、３：給電点、４：第一コンデンサー素子、５：切替スイッチ、６：第二コンデンサー素子、７：インダクタ素子
【図１】
0006860690.tif 000002
【図２】
0006860690.tif 000003
【図３】
0006860690.tif 000004
【図４】
0006860690.tif 000005
【図５】
0006860690.tif 000006
【図６】
0006860690.tif 000007
【図７】
0006860690.tif 000008
【図８】
0006860690.tif 000009